(57)【要約】 【課題】  任意の場所ないしタイミングにおいて着信転送を適宜受け得る、電話機および電話サーバを提供する。【解決手段】  ユーザＡがユーザＣ宅に移動した後、自己のメモリカード２００をユーザＣ宅のＩＰ電話１００に装着すると、メモリカード２００内の電話機データ（ユーザＡ宅のＩＰ電話機に関する情報）が読み取られ、ユーザＡ宅のＩＰ電話機を転送元とし、ユーザＣ宅のＩＰ電話機を転送先とする転送情報が生成され、電話サーバとユーザＡ宅のＩＰ電話機１００に登録される。しかる後、ユーザＢ宅からユーザＡ宅に電話がかけられると、ユーザＡ宅のＩＰ電話機１００から、ユーザＣ宅を転送先とする転送依頼付き呼制御データがユーザＢ宅のＩＰ電話機１００に返送される。これを受けて、ユーザＢ宅のＩＰ電話機１００は、ユーザＣ宅を発呼先とする呼制御データを生成し、ユーザＣ宅のＩＰ電話機１００に向けて送信する。【選択図】    図１０
2005217643.tif 000002
【特許請求の範囲】
【請求項１】
公衆網と通信を行う通信手段と、
各種情報を入力するための入力手段と、
少なくとも電話機のアドレス情報を記憶した携帯型記憶メディアと通信して情報を取得するメディア制御手段と、
前記メディア制御手段を介して取得したアドレス情報を転送元アドレス情報とし、且つ、自身のアドレス情報を転送先アドレス情報として、これら情報を含む転送情報を生成する転送情報生成手段と、
前記転送情報生成手段により生成した転送情報を、前記メディア制御手段を介して取得した前記転送元アドレス情報に対応する電話機、または、当該電話機と電話サーバの両方に送信する転送情報送信手段と、
他の電話機から前記転送情報を受信したとき、当該転送情報に含まれた転送元アドレス情報と自身のアドレス情報を比較し、両者が一致するときに、当該転送情報を記憶する転送情報記憶手段と、
他の電話機から呼制御データを受信したとき、少なくとも前記転送情報記憶手段に記憶された転送先アドレス情報を呼制御データに含めて、発呼元電話機に返信する転送依頼送信手段と、
自身が発した呼制御データに対して前記転送先アドレス情報を含む呼制御データの返信を受けたとき、当該呼制御データに含まれた転送先アドレス情報に対応する電話機に向けて呼制御データを送信する転送処理手段と、
を有することを特徴とする電話機。
【請求項２】
公衆網と通信を行う通信手段と、
各種情報を入力するための入力手段と、
少なくとも電話機のアドレス情報を記憶した携帯型記憶メディアと通信して情報を取得するメディア制御手段と、
前記メディア制御手段を介して取得したアドレス情報を転送元アドレス情報とし、且つ、自身のアドレス情報を転送先アドレス情報として、これら情報を含む転送情報を生成する転送情報生成手段と、
前記転送情報生成手段により生成した転送情報を電話サーバに送信する転送情報送信手段と、
自身が発した呼制御データに対して前記転送先アドレス情報を含む呼制御データの返信を受けたとき、当該呼制御データに含まれた転送先アドレス情報の電話機に向けて呼制御データを送信する転送処理手段と、
を有することを特徴とする電話機。
【請求項３】
請求項１または２において、
前記メディア制御手段を介して取得したアドレス情報を所有者用またはゲスト用の何れかに区分して記憶するメディア情報記憶手段をさらに備え、
前記転送情報生成手段は、ゲスト用として区分される情報中のアドレス情報を転送元アドレス情報とし、且つ、所有者用として区分される情報中のアドレス情報を転送先アドレス情報として、これら情報を含む転送情報を生成する、
ことを特徴とする電話機
【請求項４】
請求項３において、
前記メディア制御手段は、前記メディアが装着される第１および第２のメディア装着手段を備え、
前記メディア情報記憶手段は、前記第１のメディア装着手段に前記メディアが装着されたときに当該メディアから取得された情報をゲスト用として区分し、前記第２のメディア装着手段に前記メディアが装着されたときに当該メディアから取得された情報を所有者用として区分して記憶する、
ことを特徴とする電話機。
【請求項５】
請求項１ないし４の何れかにおいて、
前記メディア制御手段における通信が遮断されたとき、または、前記入力手段を介して消去指令が入力されたとき、前記転送情報の記憶を消去するための情報を、前記転送元アドレス情報に対応する電話機および／もしくは前記電話サーバに送信する、
ことを特徴とする電話機。
【請求項６】
公衆網と通信を行う通信手段と、
転送元アドレス情報と転送先アドレス情報を含む転送情報を電話機から受信したとき当該転送情報を記憶する転送情報記憶手段と、
電話機から転送先アドレス情報を含む呼制御データを受信したとき、当該転送先アドレス情報と前記転送情報記憶手段に記憶されている転送先アドレス情報を比較し、両者が一致する場合に、当該転送先アドレス情報を含む呼制御データを、発呼元電話機に返信する仲介処理手段と、
を有することを特徴とする電話サーバ。
【請求項７】
公衆網と通信を行う通信手段と、
転送元アドレス情報と転送先アドレス情報を含む転送情報を電話機から受信したとき当該転送情報を記憶する転送情報記憶手段と、
電話機から呼制御データを受信したとき、当該呼制御データに含まれている発呼先電話機のアドレス情報と前記転送情報記憶手段に記憶されている転送元アドレス情報を比較し、両者が一致する場合に、当該転送元アドレス情報と対となっている転送先アドレス情報を呼制御データに含め、これを発呼元電話機に返信する仲介処理手段と、
を有することを特徴とする電話サーバ。
【請求項８】
請求項６または７において、
前記仲介処理手段は、転送先アドレス情報の電話機に対し通話を行ったときの課金情報を生成するとともに、生成した課金情報を前記呼制御データに含めて前記発呼元電話機に返信する、
ことを特徴とする電話サーバ。
【請求項９】
公衆網と通信を行う通信手段と、
転送元アドレス情報と転送先アドレス情報を含む転送情報を電話機から受信したとき当該転送情報を記憶する転送情報記憶手段と、
電話機から呼制御データを受信したとき、当該呼制御データに含まれている発呼先電話機のアドレス情報と前記転送情報記憶手段に記憶されている転送元アドレス情報を比較し、両者が一致する場合に、当該転送元アドレス情報と対となっている転送先アドレス情報に向けて呼制御データを送信する仲介処理手段と、
を有することを特徴とする電話サーバ。
【発明の詳細な説明】
【技術分野】
【０００１】
本発明は、電話機および電話サーバに関し、特に、インターネット電話システムに用いて好適なものである。
【背景技術】
【０００２】
インターネット網を電話通信網として利用したインターネット電話（ＩＰ電話）システムが開発され、我国においても徐々に普及しつつある。かかるＩＰ電話システムは、インターネット網を介したパケット交換によって音声または映像の送受信を行うものである。このため、従来の回線接続型の電話システムに比べ、料金面（特に遠距離通話時の料金）において有利になるとの利点を有している。また、インターネットのブロードバンド化や通信技術の改善等により、従来問題となっていた通話品質が大幅に改善された。さらに、インターネット網を利用することから、Ｗｅｂサービスとの親和性も高い。このようなことから、我国においても、今後、ますます普及するものと期待されている。
【０００３】
なお、以下の特許文献１には、電話をかけるときに、料金が安価となる経路を容易に選択できるようにした、プリペイドカード利用方式のＩＰ電話システムが記載されている。
【特許文献１】特開平１１−３４５２９６号公報
【発明の開示】
【発明が解決しようとする課題】
【０００４】
かかるＩＰ電話システムにおいては、通常、パーソナルコンピュータ（ＰＣ）やＩＰ電話機等の固定型電話機が電話端末として利用されている。このため、通話の際に場所的な制限を受け、任意の場所ないしタイミングで通話を行うことは困難であった。かかる不都合は、着信転送等のサービスを設定することにより、ある程度解消される。しかし、この場合においても、任意の場所およびタイミングにおいて自由に通話（着信）を行えると言うものではなく、たとえば、移動先が途中で変更された場合や、移動先が複数箇所であるような場合には、かかる着信転送サービスでは対応し得ない。さらに、着信転送サービスを受けるためには、複雑な設定操作が必要となる。このため、移動先毎に一々設定するとなると、ユーザにとっては、かなり厄介なものとなる。
【０００５】
そこで、本発明は、かかる場所的な制限による不都合をさらに解消し、任意の場所ないしタイミングにおいて着信転送を適宜受け得る、電話機および電話サーバを提供することを課題とする。
【課題を解決するための手段】
【０００６】
上記課題に鑑み、本発明は、それぞれ以下の特徴を有する。
【０００７】
請求項１の発明は、電話機に関するものであって、公衆網と通信を行う通信手段と、各種情報を入力するための入力手段と、少なくとも電話機のアドレス情報を記憶した携帯型記憶メディアと通信して情報を取得するメディア制御手段と、前記メディア制御手段を介して取得したアドレス情報を転送元アドレス情報とし、且つ、自身のアドレス情報を転送先アドレス情報として、これら情報を含む転送情報を生成する転送情報生成手段と、前記転送情報生成手段により生成した転送情報を、前記メディア制御手段を介して取得した前記転送元アドレス情報に対応する電話機、または、当該電話機と電話サーバの両方に送信する転送情報送信手段と、他の電話機から前記転送情報を受信したとき、当該転送情報に含まれた転送元アドレス情報と自身のアドレス情報を比較し、両者が一致するときに、当該転送情報を記憶する転送情報記憶手段と、他の電話機から呼制御データを受信したとき、少なくとも前記転送情報記憶手段に記憶された転送先アドレス情報を呼制御データに含めて、発呼元電話機に返信する転送依頼送信手段と、自身が発した呼制御データに対して前記転送先アドレス情報を含む呼制御データの返信を受けたとき、当該呼制御データに含まれた転送先アドレス情報に対応する電話機に向けて呼制御データを送信する転送処理手段とを有することを特徴とする。
【０００８】
請求項２の発明は、電話機に関するものであって、公衆網と通信を行う通信手段と、各種情報を入力するための入力手段と、少なくとも電話機のアドレス情報を記憶した携帯型記憶メディアと通信して情報を取得するメディア制御手段と、前記メディア制御手段を介して取得したアドレス情報を転送元アドレス情報とし、且つ、自身のアドレス情報を転送先アドレス情報として、これら情報を含む転送情報を生成する転送情報生成手段と、前記転送情報生成手段により生成した転送情報を電話サーバに送信する転送情報送信手段と、自身が発した呼制御データに対して前記転送先アドレス情報を含む呼制御データの返信を受けたとき、当該呼制御データに含まれた転送先アドレス情報の電話機に向けて呼制御データを送信する転送処理手段とを有することを特徴とする。
【０００９】
請求項３の発明は、請求項１または２に記載の電話機において、前記メディア制御手段を介して取得したアドレス情報を所有者用またはゲスト用の何れかに区分して記憶するメディア情報記憶手段をさらに備え、前記転送情報生成手段は、ゲスト用として区分される情報中のアドレス情報を転送元アドレス情報とし、且つ、所有者用として区分される情報中のアドレス情報を転送先アドレス情報として、これら情報を含む転送情報を生成することを特徴とする。
【００１０】
請求項４の発明は、請求項３に記載の電話機において、前記メディア制御手段は、前記メディアが装着される第１および第２のメディア装着手段を備え、前記メディア情報記憶手段は、前記第１のメディア装着手段に前記メディアが装着されたときに当該メディアから取得された情報をゲスト用として区分し、前記第２のメディア装着手段に前記メディアが装着されたときに当該メディアから取得された情報を所有者用として区分して記憶することを特徴とする。
【００１１】
請求項５の発明は、請求項１ないし４の何れかに記載の電話機において、前記メディア制御手段における通信が遮断されたとき、または、前記入力手段を介して消去指令が入力されたとき、前記転送情報の記憶を消去するための情報を、前記転送元アドレス情報に対応する電話機および／もしくは前記電話サーバに送信することを特徴とする。
【００１２】
請求項６の発明は、電話サーバに関するものであって、公衆網と通信を行う通信手段と、転送元アドレス情報と転送先アドレス情報を含む転送情報を電話機から受信したとき当該転送情報を記憶する転送情報記憶手段と、電話機から転送先アドレス情報を含む呼制御データを受信したとき、当該転送先アドレス情報と前記転送情報記憶手段に記憶されている転送先アドレス情報を比較し、両者が一致する場合に、当該転送先アドレス情報を含む呼制御データを、発呼元電話機に返信する仲介処理手段とを有することを特徴とする。
【００１３】
請求項７の発明は、電話サーバに関するものであって、公衆網と通信を行う通信手段と、転送元アドレス情報と転送先アドレス情報を含む転送情報を電話機から受信したとき当該転送情報を記憶する転送情報記憶手段と、電話機から呼制御データを受信したとき、当該呼制御データに含まれている発呼先電話機のアドレス情報と前記転送情報記憶手段に記憶されている転送元アドレス情報を比較し、両者が一致する場合に、当該転送元アドレス情報と対となっている転送先アドレス情報を呼制御データに含め、これを発呼元電話機に返信する仲介処理手段とを有することを特徴とする。
【００１４】
請求項８の発明は、請求項６または７に記載の電話サーバにおいて、前記仲介処理手段は、転送先アドレス情報の電話機に対し通話を行ったときの課金情報を生成するとともに、生成した課金情報を前記呼制御データに含めて前記発呼元電話機に返信することを特徴とする。
【００１５】
請求項９の発明は、電話サーバに関するものであって、公衆網と通信を行う通信手段と、転送元アドレス情報と転送先アドレス情報を含む転送情報を電話機から受信したとき当該転送情報を記憶する転送情報記憶手段と、電話機から呼制御データを受信したとき、当該呼制御データに含まれている発呼先電話機のアドレス情報と前記転送情報記憶手段に記憶されている転送元アドレス情報を比較し、両者が一致する場合に、当該転送元アドレス情報と対となっている転送先アドレス情報に向けて呼制御データを送信する仲介処理手段とを有することを特徴とする。
【００１６】
本発明の特徴は、以下に示す実施の形態の説明により更に明らかとなろう。なお、上記請求項の各手段のいくつかは、実施の形態では、メイン処理部１０５またはメイン処理部３０２に機能として統合されている。以下の実施の形態は、あくまでも、本発明の一つの実施形態であって、本発明ないし各構成要件の用語の意義は、以下の実施の形態に記載されたものに制限されるものではない。
【発明の効果】
【００１７】
本発明によれば、移動先に設置された電話機と、ユーザが所持している携帯型記憶メディアとが、通信可能状態となることにより、当該移動先電話機を転送先とする着信転送が転送元電話機および／若しくは電話サーバに自動的に設定される。よって、複雑な設定操作を行わずとも、任意の移動場所において適宜、着信転送を受けることができるようになる。
【００１８】
また、請求項３の発明によれば、携帯型記憶メディアから適宜、所有者用のアドレス情報とゲスト用のアドレス情報を区分して電話機に設定することができ、さらに、請求項４の発明によれば、携帯型記憶メディアの装着先を変えるのみで簡便に、所有者用のアドレス情報とゲスト用のアドレス情報を区分できるようになる。
【００１９】
また、請求項５の発明によれば、たとえば、携帯型記憶メディアを装着手段から取り外す等の操作に連携させて、当該電話機に対する着信転送を自動的に解除でき、ユーザの利便性に資することができる。
【００２０】
また、請求項８の発明によれば、着信転送によって課金状態が変更されるかを、ユーザにおいて知り得るようになり、もって、着信転送時のサービスの充実を図ることができる。
【００２１】
この他、本発明における効果は、以下に示す実施形態の説明により、さらに明瞭に理解されるものと意図される。
【発明を実施するための最良の形態】
【００２２】
以下、本発明の実施の形態につき図面を参照して説明する。
【００２３】
まず、図１に実施の形態に係るＩＰ電話システムの構成を示す。
【００２４】
図において、ＩＰ電話機１００は、インターネット網に接続されており、インターネット網上の電話サーバ３００を介して、相手先ＩＰ電話機１００と通話可能となっている。
【００２５】
ここで、電話サーバ３００は、いわゆる“アドレス解決”、“端末状態管理”、“帯域制御”等の網アクセス制御を行う。
【００２６】
たとえば、電話サーバ３００は、ＩＰ電話機を特定するための識別子（電話番号やメールアドレス、ホスト名、等）とＩＰアドレスを対応付けたデータベースを備えており、発呼元電話機からの呼制御データ中に含まれる識別子から、発呼先電話機のＩＰアドレスを特定し、このＩＰアドレスに向けて呼制御データを送信する。また、発呼先の識別子が自己のデータベースに登録されていないときは、他の管理サーバ等にアクセスして、発呼先識別子のＩＰアドレスに向けた呼制御データの送信を行う（アドレス解決）。
【００２７】
また、自身に対しＩＰ電話機１００から定期的にアクセスさせたり、自身からＩＰ電話機１００に定期的にアクセスすることで、その時々におけるＩＰ電話機１００の状態（電源のＯＮ／ＯＦＦや、インターネットに対する接続の有無）を管理する（端末状態管理）。さらに、通話時に使用する帯域の要求／許可等の処理等を行うこともある（帯域制御）。
【００２８】
なお、上記アドレス解決によって、発呼先電話機に呼制御データが送信されると、発呼先電話機が呼び出し状態に設定される。このとき、発呼先電話機から発呼元電話機に対し、“呼び出し中”のメッセージ（呼制御データ）が返信される。そして、発呼先電話機がオフフックされると、さらに、発呼先電話機から発呼元電話機に対し、“応答”のメッセージ（呼制御データ）が返信される。これにより、発呼元電話機と発呼先電話機との間に通信パスが確立される。電話サーバ３００は、かかるメッセージ（呼制御データ）の送受信を仲介する。
【００２９】
ＩＰ電話機１００は、上記の呼制御データにおいて、通話時に使用する音声や画像のコーデック方式のネゴシエーションや、音声データ・画像データを流すＩＰアドレスとポート番号の交換を、相手先電話機との間で行う。これにより、相手先電話機との通信パスが確立する。そして、かかるネゴシエーションにて設定されたコーデック方式に従って音声・画像データをコード化し、コード化したデータを、通話時のストリームプロトコルに従って、適宜、送受信する。
【００３０】
本実施の形態におけるＩＰ電話システムは、上記した通常の通話処理機能に加え、メモリカード２００を利用した着信転送機能をさらに備えている。すなわち、本ＩＰ電話システムにおいては、たとえば、ユーザＡ所有のメモリカード２００を、ユーザＣ宅のＩＰ電話機１００のスロットに装着することにより、ユーザＡ宅のＩＰ電話機１００に向かってかけられた電話が、ユーザＣ宅のＩＰ電話機１００に自動転送される。
【００３１】
かかる機能を実現するために、ＩＰ電話機１００と電話サーバ３００には、上記の機能の他、メモリカード２００に格納された情報を利用しながら着信転送処理を実行する機能がさらに付加されている。かかる機能および処理の詳細については、以下に示す実施例において、逐次、明らかにする。
【実施例１】
【００３２】
図２ないし図１１を参照して、実施例１に係るＩＰ電話システムの具体的構成例について説明する。
【００３３】
なお、本実施例におけるＩＰ電話機１００、メモリカード２００および電話サーバ３００は、ハードウェア的には、ＣＰＵ、メモリ、その他のＬＳＩなどで実現できる。また、ソフトウェア的には、メモリにロードされた記録制御機能のあるプログラムなどによって実現される。図２〜図４には、それぞれＩＰ電話機１００、メモリカード２００および電話サーバ３００の機能ブロックが示されている。ただし、これらの機能ブロックが、ハードウェアのみ、ソフトウェアのみ、あるいは、それらの組合せ等、いろいろな形態で実現できることは言うまでもない。
【００３４】
図２に、本実施例に係るＩＰ電話機１００の構成を示す。図示の如く、ＩＰ電話機１００は、音声入力部１０１と、音声出力部１０２と、コーデック処理部１０３と、通信制御部１０４と、メイン処理部１０５と、カード制御部１０６と、データ入力部１０７を具備している。
【００３５】
音声入力部１０１は、話者（ユーザ）から発声された音声を受信処理し音声データを出力する。音声出力部１０２は、通話先電話機から受信した音声データを処理して音声信号を生成し、スピーカ等の出力手段を介して話者（ユーザ）に対し音声出力する。
【００３６】
コーデック処理部１０３は、音声入力部１０１から入力された音声信号をＡ／Ｄ変換して音声データを生成するとともに、相手先電話機との間のネゴシエーションによって設定されたコーデック方式に従って、かかる音声データに符号化処理を施す。また、かかるコーデック方式に従って、相手先電話機から受信した音声データに復号処理を施して音声データを生成するとともに、この音声データをＤ／Ａ変換して音声信号を生成し、これを音声出力部１０２に出力する。
【００３７】
通信制御部１０４は、所定の通信プロトコルに従って、インターネット網との間の通信処理を行う。
【００３８】
メイン処理部１０５は、上述の呼制御処理や端末間制御処理（通話時に使用する音声・画像のコーデック方式のネゴシエーションや、音声データ・画像データを流すＩＰアドレスとポート番号の交換等）等、通話において必要な各種処理を行う。また、カード制御部１０６を制御して、メモリカード２００に格納された各種データ（後述）を取得し、内部メモリ１０５ａに格納する。格納されるデータのデータ構造については、図５を参照して追って説明する。この他、着信転送の際に必要な各種処理を実行する。かかる処理の詳細についても、追って説明する。
【００３９】
カード制御部１０６は、メモリカード２００を装着するためのスロットを備え、このスロットにメモリカード２００が装着されたとき、メイン処理部１０５からの制御に従って、メモリカード２００内のデータを読み出し、メイン処理部１０５に転送する。
【００４０】
データ入力部１０７は、プッシュボタンやタッチパネル等のキー操作部を備え、たとえば、通話先電話番号の入力や、カード情報の保存モード（後述）の切り替え等に利用される。
【００４１】
図３に、メモリカード２００の構成を示す。図示の如く、メモリカード２００は、入出力制御部２０１とメモリ２０２を具備している。
【００４２】
入出力制御部２０１は、上記カード制御部１０６からの送信要求に応じてメモリ２０２から必要なデータを抽出し、これをカード制御部１０６に送信する。メモリ２０２は、当該メモリカード２００の所有者のＩＰ電話機（たとえば、当該所有者の自宅等に設置されたＩＰ電話機）１００に関する各種データ（以下、「電話機データ」という）を記憶している。
【００４３】
ここで、電話機データは、たとえば、当該ＩＰ電話機のＩＰアドレス、利用者ＩＤ、パスワード、課金情報（契約先事業者を利用した場合のもの）、サーバアドレス（当該ＩＰ電話機を仲介する電話サーバのアドレス）、メールアドレス、電話番号、等から構成されている。この他、通話先電話番号（電話番号帳）等を適宜格納できるようにしても良い。
【００４４】
なお、本実施例においては、メモリカード２００は、電話サーバ３００において電話機データの書き込み処理が行われた後、ユーザに配布（郵送）される。この他、電話サーバ３００以外のＩＳＰ（Internet Service Provider）にて電話機データの書き込みを行い、ユーザに配布するようにしても良い。あるいは、電話機データが格納されていない状態でメモリカード２００を配布し、別途、ＰＣや携帯電話、自己のＩＰ電話機１００等を介して、電話サーバ３００またはＩＳＰ等からダウンロードするようにしても良い。
【００４５】
図４に、電話サーバ３００の構成を示す。図示の如く、電話サーバ３００は、データ入力部３０１と、メイン処理部３０２と、通信制御部３０３と、カード制御部３０４を具備している。
【００４６】
データ入力部３０１は、キーボードやマウス等の入力手段を備え、ユーザの登録／削除等の際に用いられる。
【００４７】
メイン処理部３０２は、上述の呼制御や網アクセス制御（アドレス解決、端末状態管理、帯域制御など）等、通話接続において必要な各種処理を行う。また、カード制御部３０４を制御して、メモリカード２００（ユーザに配布されるもの）に対し、電話機データを書き込む。この他、着信転送の際に必要な処理を実行する。なお、かかる処理の詳細については、追って説明する。
【００４８】
通信制御部３０３は、所定の通信プロトコルに従って、インターネット網との間の通信処理を行う。
【００４９】
カード制御部３０４は、メモリカード２００を装着するためのスロットを備え、このスロットにメモリカード２００が装着されたとき、メイン処理部３０２からの制御に従って、メモリカード２００に対し電話機データを書き込む。
【００５０】
図５（Ａ）に、電話機データが、メモリカード２００から読み出され、ＩＰ電話機１００側のメモリ１０５ａに格納されたときのデータ構造を示す。
【００５１】
図示の如く、メモリ１０５ａには、識別情報毎に区分して、電話機データ（電話番号、ＩＰアドレス、利用者ＩＤ、パスワード、サーバアドレス、メールアドレス、課金情報）が格納される。ここで、識別情報は、データ入力部１０７を介して、ユーザより設定される。ユーザは、データ入力部１０７を操作して、電話機データの保存モードを指定する。かかる保存モードの指定は、たとえば、メモリカード２００をスロットに装着する際に行われる。設定入力された保存モードが“所有者”であれば、識別情報が“所有者”に設定され、“ゲスト”であれば、識別情報が“ゲスト”に設定される。
【００５２】
同図（Ｂ）は、メモリカード２００から読み出した電話機データを、“所有者用”としてメモリ１０５ａに格納したときのデータ例を示すものである。
【００５３】
同図（Ｃ）は、２種類のメモリカード２００から読み出したデータを、それぞれ“所有者用”および“ゲスト用”としてメモリ１０５ａに格納したときのデータの構成例を示すものである。たとえば、ユーザＣが自己のメモリカード２００内の電話機データを自己のＩＰ電話機１００に読み込ませた後、ユーザＡが自己のメモリカード２００の電話機データを、当該ユーザＣのＩＰ電話機１００に読み込ませたときに、このようなデータ構成にて、メモリ１０５ａにデータが記憶される。
【００５４】
なお、“ゲスト”として格納できる電話機データの数は、同図（Ｃ）に示すように一つに制限されるものではなく、２種類以上のゲスト用電話機データを取り込めるようにしても良い。
【００５５】
また、ユーザが設定入力することによって種別情報を設定する他、スロットを複数配し、どのスロットにメモリカード２００が装着されるかに応じて、“所有者用”か“ゲスト用”かを識別するようにしても良い。たとえば、スロットを複数段配しておき、最上段のスロットにメモリカード２００を装着したときには、“所有者用”として識別し、これ以外のスロットにメモリカード２００を装着したときには、“ゲスト用”として識別する。こうすれば、種別情報の設定入力を省略でき、ユーザの利便性を向上させることができる。
【００５６】
図６に、メイン処理部１０５にて生成出力される転送データのデータ構造を示す。
【００５７】
なお、かかる転送データは、“ゲスト用”の電話機データがメモリカード２００から取り込まれたときに生成出力される。
【００５８】
図示の如く、転送データは、転送先情報と転送元情報から構成されている。このうち、転送先情報は、転送先電話機のＩＰアドレス（あるいは識別子でも良い、以下同じ）と、当該電話機のサーバアドレス（あるいは識別子でも良い、以下同じ）から構成されている。かかるＩＰアドレスとサーバアドレスは、メモリ１０５ａ中に格納されている“所有者用”の電話機データ中のＩＰアドレスとサーバアドレスに対応している。すなわち、メイン処理部１０５ａは、メモリ１０５ａに格納されている“所有者用”の電話機データからＩＰアドレスとサーバアドレスを抽出し、これを転送先情報として転送データに含める。
【００５９】
一方、転送元情報は、転送元電話機の電話機データ（電話番号、ＩＰアドレス、利用者ＩＤ、パスワード、サーバアドレス、メールアドレス、課金情報）から構成されている。かかる転送元情報は、メモリ１０５ａ中に格納されている“ゲスト用”の電話機データに対応している。すなわち、メイン処理部１０５ａは、メモリ１０５ａに格納されている“ゲスト用”の電話機データをそのまま抽出し、これを転送元情報として転送データに含める。
【００６０】
このように生成された転送データは、転送元情報に含まれているＩＰアドレスとサーバアドレスに向けて送信される。すなわち、“ゲスト用”の電話機データに対応するＩＰ電話機１００とその電話サーバ３００に向けて送信される。送信された転送データは、これらＩＰ電話機１００と電話サーバ３００にそれぞれ登録（記憶）される。
【００６１】
図７に、このときのＩＰ電話機１００における処理フローを示す。
【００６２】
ＩＰ電話機１００は、転送データを受信したとき（Ｓ２０１：ＹＥＳ）、当該転送データに含まれている転送元情報を参照し、かかる転送元情報が自身に登録されているかを検証する。すなわち、ＩＰ電話機１００は、かかる転送元情報が、自身のメモリ１０５ａに格納されている“所有者用”の電話機データに整合するかを検証する（Ｓ２０２）。そして、両者が整合していれば（Ｓ２０３：ＹＥＳ）、受信した転送データをメモリ１０５ａに格納する（Ｓ２０４）。他方、両者が整合していなければ（Ｓ２０３：ＮＯ）、受信した転送データを不正情報として削除する（Ｓ２０５）。
【００６３】
図８に、転送データを受信したときの電話サーバ３００における処理フローを示す。
【００６４】
電話サーバ３００は、転送データを受信したとき（Ｓ３０１：ＹＥＳ）、当該転送データに含まれている転送元情報を参照し、かかる転送元情報が自身に登録されているかを検証する。すなわち、電話サーバ３００は、かかる転送元情報が、自身のデータベースに格納されている識別子とＩＰアドレスのペアの何れかに整合するかを検証する（Ｓ３０２）。そして、両者が整合していれば（Ｓ３０３：ＹＥＳ）、受信した転送データを、当該ペアに対応付けて、メモリ３０２ａに格納する（Ｓ３０４）。他方、両者が整合していなければ（Ｓ３０３：ＮＯ）、受信した転送データを不正情報として削除する（Ｓ３０５）。
【００６５】
図９に、メモリカード２００が装着されたＩＰ電話機１００における処理フローを示す。
【００６６】
ＩＰ電話機１００にメモリカード２００が装着されると（Ｓ１０１）、メイン処理部１０５は、メモリカード２００に格納された電話機データを読み出し、メモリ１０５ａに格納する（Ｓ１０２）。このとき、メイン処理部１０５は、読み出した電話機データが“所有者用”に該当するか“ゲスト用”に該当するかを、ユーザからの設定入力またはメモリカード２００の装着先スロットの位置から判別する（Ｓ１０３）。そして、その判別結果に応じて、メモリ１０５ａに格納した電話機データの識別情報を“所有者用”または“ゲスト用”に設定する（Ｓ１０４、Ｓ１０５）。
【００６７】
さらに、Ｓ１０３の判別結果が“ゲスト用”であるとき、メイン処理部１０５は、当該電話機データと、既にメモリ１０５ａに格納されている“所有者用”の電話機データから、上記の如くして、転送データを生成し、これを、該当するＩＰ電話機１００および電話サーバ３００に向けて送信する（Ｓ１０６）。かかる転送データは、上記の如くして（図７、図８）、ＩＰ電話機１００と電話サーバ３００に登録される。これにより、メモリカード装着時における着信転送設定処理が完了する。
【００６８】
しかる後、メモリカード２００がＩＰ電話機１００から抜き取られると（Ｓ１０７：ＹＥＳ）、メイン処理部１０５は、抜き取られたメモリカード２００が、“ゲスト用”のものであるかを判別し（Ｓ１０８）、“ゲスト用”のものであれば、当該メモリカード２００に対応する電話機データをメモリ１０５ａから消去する（Ｓ１０９）。このとき、当該メモリカード２００の装着時にＩＰ電話機１００および電話サーバ３００に登録された転送データを消去するための要求通知が、当該ＩＰ電話機１００および電話サーバ３００に送信される。これにより、当該ＩＰ電話機１００および電話サーバ３００のメモリから転送データが消去される。しかして、着信転送設定が解除される。
【００６９】
図１０および図１１に、着信転送設定時におけるＩＰ電話システム全体の処理の流れを示す。
【００７０】
なお、同図は、ユーザＡがユーザＣ宅に移動して、自己のメモリカード２００をユーザＣ宅のＩＰ電話機１００に装着し、その後、ユーザＢがユーザＡ宅のＩＰ電話機１００に発呼したときの流れを示すものである。図１１において、ＩＰ電話機Ａ、ＩＰ電話機Ｂ、ＩＰ電話機Ｃは、それぞれ、ユーザＡ宅、ユーザＢ宅、ユーザＣ宅のＩＰ電話機１００を示し、サーバＡ、サーバＢは、それぞれ、ＩＰ電話機Ａ、ＩＰ電話機Ｂがアクセスする電話サーバ３００を示す。
【００７１】
ユーザＡのメモリカード２００をユーザＣ宅のＩＰ電話機１００（ＩＰ電話機Ｃ）に装着すると、ＩＰ電話機Ｃは、上記の如くして、転送データを生成し、これを、ユーザＡ宅のＩＰ電話機１００（ＩＰ電話機Ａ）と、その電話サーバ（サーバＡ）に送信する。ＩＰ電話機ＡとサーバＡは、受信した転送データを、自身のメモリ１０５ａ、３０２ａに格納する。
【００７２】
しかる後、ユーザＢが、自宅のＩＰ電話機１００（ＩＰ電話機Ｂ）からＩＰ電話機Ａに向けて電話をかけると、ＩＰ電話機Ｂにて呼制御データが生成され、対応する電話サーバ３００（電話サーバＢ）に送信される。かかる呼制御データは、電話サーバＢから電話サーバＡを介してＩＰ電話機Ａに送信される。
【００７３】
かかる呼制御データを受信したＩＰ電話機Ａのメイン処理部１０５は、先にメモリ１０５ａに格納した転送データから転送先情報を抽出し、これを呼制御データに含めた転送依頼付き呼制御データを、ＩＰ電話機Ｂに向けて送信する。かかる呼制御データは、まず、サーバＡに受信され、サーバＡにおいて検証される。
【００７４】
すなわち、サーバＡのメイン処理部３０２は、かかる呼制御データ中に含まれている転送先情報を抽出し、この転送先情報と、自身のメモリ３０２ａに格納されている転送データとを比較する。具体的には、自身のメモリ３０２ａに格納されている転送データのうち、ＩＰ電話機Ａに対応付けられている転送データを抽出し、当該転送データ中に含まれている転送先情報と、ＩＰ電話機Ａから受信した転送依頼付き呼制御データ中の転送先情報とを比較する。そして、両者が整合するときは、かかる転送依頼付き呼制御データを、サーバＢに送信する。両者が整合しないときは、受付不可のメッセージを含む呼制御データをサーバＢに送信する。
【００７５】
これを受けて、サーバＢのメイン処理部３０２は、当該転送依頼付き呼制御データに含まれている転送先情報を参照し、転送先電話機（ＩＰ電話機Ｃ）に接続したときの課金状態を調べる。課金状態は、たとえば、サーバＢ内に事業者と課金データとを対応付けたデータベースを構築しておき、転送先情報中のＩＰアドレスまたはサーバアドレスからＩＰ電話機Ｃの契約先事業者を特定して、課金データを取得するようにする。あるいは、課金データを管理する専用サーバがあれば、この管理サーバに問い合わせて取得するようにしても良い。
【００７６】
しかる後、サーバＢのメイン処理部３０２は、取得した課金データと、サーバＡから受信した転送依頼付き呼制御データをＩＰ電話機Ｂに送信する。ＩＰ電話機Ｂのメイン処理部１０５は、かかる送信を受けて、課金情報を生成し、画面または音声にてユーザＢに表示する。このとき、同時に、電話が転送される旨を表示する。
【００７７】
かかる表示により、ユーザＢが、データ入力部１０７を操作して、転送了承の指令を入力すると、ＩＰ電話機Ｂのメイン処理部１０５は、転送依頼付き呼制御データから転送情報を抽出し、かかる転送情報中の転送先ＩＰアドレス（ＩＰ電話機Ｃ）に向けた呼制御データを、サーバＢに送信する。
【００７８】
かかる呼制御データは、サーバＢから、ＩＰ電話機Ｃのサーバ経由で、ＩＰ電話機Ｃに送信される。これにより、ＩＰ電話機Ｃに呼び出し音等の着呼表示がなされる。なお、かかる着呼表示は、呼び出し音を変化させる等、通常の着呼時と区別できるような形態で行われるのが好ましい。たとえば、ＩＰ電話機ＢからＩＰ電話機Ｃに向けられた呼制御データ中に、着信転送である旨を表示するメッセージを含めておく。ＩＰ電話機Ｃは、かかるメッセージが含まれていることを検出することにより、当該呼制御データが着信転送後のものであることを識別し、呼び出し音の変更等の処理を実行する。
【００７９】
あるいは、ＩＰ電話機ＢからＩＰ電話機Ｃに向けられた呼制御データ中に、転送元電話機（ＩＰ電話機Ａ）の電話番号を含めておき、ＩＰ電話機Ｃの表示パネル等に、当該電話番号を表示するようにしても良い。これにより、ユーザＣ（またはユーザＡ）は、着信転送であることと、どこからの転送であるかを同時に知ることができる。
【００８０】
かかる着呼表示を受けて、ＩＰ電話機Ｃがオフフックされると、応答通知がＩＰ電話Ｂに返信される。このとき、コーデックのネゴシエーション等の端末間制御がなされ、通信パスが確立される。しかる後、発話が開始されると、インターネット網経由で、音声データがパケット通信される。しかして、ユーザＡは、移動先のユーザＣ宅において、ユーザＢとの通話を行えるようになる。
【００８１】
以上、本実施例によれば、移動先のＩＰ電話機１００にメモリカード２００を装着することにより、当該ＩＰ電話機１００を転送先とした着信転送機能を設定することができる。したがって、ユーザは、メモリカード２００を携帯していさえすれば、如何なる移動先においても、自宅の電話機からの着信転送を受けることができる。また、着信転送の設定を、メモリカード２００を装着するといった極めて簡便な操作のみで行うことができる。このように、本実施例によれば、ユーザの利便性を追及したＩＰ電話システムを構築することができる。
【実施例２】
【００８２】
図１２および図１３を参照して、実施例２について説明する。
【００８３】
上記実施例１は、ＩＰ電話機１００と電話サーバ３００の両方に転送データが登録されるものであったが、本実施例は、ＩＰ電話機１００のみに転送データが登録される。すなわち、ユーザＡのメモリカード２００がユーザＣ宅のＩＰ電話機１００（ＩＰ電話機Ｃ）に装着されたとき、ＩＰ電話機Ｃにて生成・送信される転送データは、ユーザＡ宅のＩＰ電話機１００（ＩＰ電話機Ａ）のみに登録される。
【００８４】
このため、実施例では、ＩＰ電話機Ａから転送依頼付き呼制御データの送信を受けたとき、サーバＡのメイン処理部３０２は、これをそのまま、ＩＰ電話機Ｂ（ＩＰ電話機ＢのサーバＢ）に向かって送信する。つまり、本実施例では、電話サーバ３００の機能のうち、自身のメモリ３０２ａに登録されている転送データをもとに、当該転送依頼付き呼制御データの正当性を検証するとの機能が省略されている。
【００８５】
本実施例では、かかる機能が省略されている分、電話サーバ３００の処理を簡素化できる。ただし、検証処理を省略した分、着信転送の際の処理の信頼性が低下するとのデメリットも有している。
【実施例３】
【００８６】
図１４および図１５を参照して、実施例３について説明する。
【００８７】
上記実施例１は、ＩＰ電話機１００と電話サーバ３００の両方に転送データが登録されるものであったが、本実施例は、電話サーバ３００のみに転送データが登録される。すなわち、ユーザＡのメモリカード２００がユーザＣ宅のＩＰ電話機１００（ＩＰ電話機Ｃ）に装着されたとき、ＩＰ電話機Ｃにて生成・送信される転送データは、ユーザＡ宅のＩＰ電話機１００（ＩＰ電話機Ａ）に対応する契約時業者の電話サーバ３００（サーバＡ）のみに登録される。
【００８８】
このため、本実施例では、ＩＰ電話機ＢからＩＰ電話機Ａに向けた呼制御データを受信したとき、サーバＡのメイン処理部３０２は、これをＩＰ電話機Ａには送信せず、自身で転送依頼付き呼制御データを生成してＩＰ電話機Ｂ（ＩＰ電話機ＢのサーバＢ）に向かって送信する。つまり、本実施例では、ＩＰ電話機１００の機能のうち、転送依頼付き呼制御データを生成・送信する機能が省略されており、かかる機能が、電話サーバ３００に追加されている。
【００８９】
本実施例において、電話サーバ３００のメイン処理部３０２は、通常の呼制御データを受信したとき、その中に含まれている発呼先電話機情報を参照し、当該発呼先電話機情報と、自身のメモリ３０２ａに登録されている転送データ（転送元情報）とを比較する。そして、発呼先電話機情報に整合する転送元情報が存在すれば、当該転送元情報と対になっている転送先情報を抽出し、これを呼制御データに含めて転送依頼付き呼制御データを生成し、これを、発呼元のＩＰ電話機１００に送信する。
【００９０】
本実施例では、着信転送の際に発呼先ＩＰ電話機を経由しない分、処理の流れを簡素化できる。ただし、本実施例においても上記実施例２と同様、電話サーバ３００における検証処理が省略されるため、着信転送の際の処理の信頼性が低下するとのデメリットを有している。
【実施例４】
【００９１】
図１６および図１７を参照して、実施例４について説明する。
【００９２】
上記実施例３は、電話サーバ３００から発呼元のＩＰ電話機１００に、一旦、課金データを返信するものであったが、本実施例は、課金データを返信することなく、電話サーバ３００から直接、転送先のＩＰ電話機１００に呼制御データを送信する。すなわち、ユーザＡのメモリカード２００がユーザＣ宅のＩＰ電話機１００（ＩＰ電話機Ｃ）に装着された後、ＩＰ電話機ＢからＩＰ電話機Ａに向けて呼制御データが送信されると、サーバＡは、転送先電話機であるＩＰ電話機Ｃに向けた呼制御データを生成し、これをＩＰ電話機Ｃに向けて送信する。
【００９３】
本実施例において、電話サーバ３００のメイン処理部３０２は、通常の呼制御データを受信したとき、その中に含まれている発呼先電話機情報を参照し、当該発呼先電話機情報と、自身のメモリ３０２ａに登録されている転送データとを比較する。そして、転送データ群の中に、発呼先電話機情報に整合する転送元情報が存在すれば、当該転送元情報と対になっている転送先情報を抽出し、抽出した転送先情報中のＩＰアドレスを発呼先とする呼制御データを生成し、これを、転送先のＩＰ電話機１００に向かって送信する。
【００９４】
本実施例では、着信転送の際に発呼元ＩＰ電話機に課金情報を返信しない分、処理の流れを簡素化できる。ただし、着信転送によって電話料金が変化することがユーザに表示されないため、利便性が低下するとのデメリットを有している。
【実施例５】
【００９５】
図１８を参照して、実施例５について説明する。
【００９６】
上記実施例１ないし４では、メモリカード２００がスロットに装着されることにより、メモリカード２００とＩＰ電話機１００との通信が可能となったが、本実施例では、光または電波（高周波・マイクロ波・ミリ波）を媒介として、メモリカード２００とＩＰ電話機１００の間の通信が行われる。すなわち、本実施例では、カード制御部１０６に代えて、ＲＦ通信部１１０、２１０が配されている。
【００９７】
ＩＰ電話機１００のＲＦ通信部１１０から発せられた電波を、メモリカード２００側のＲＦ通信部２１０が検知し、且つ、メモリカード２００側のＲＦ通信部２１０から発せられた電波を、ＩＰ電話機１００のＲＦ通信部１１０が検知すると、両者間における通信が可能となる。しかる後、ＩＰ電話機１００のメイン処理部１０５は、ＲＦ通信部１１０を介して、電話機データの送信要求をメモリカード２００に送信する。このとき、所定の変調が施された電波が、ＲＦ通信処理部１１０からメモリカード２００に発せられる。
【００９８】
これを受けて、メモリカード２００のＲＦ通信部２１０は復調処理を行い、これを入出力制御部２０１に送る。入出力制御部２０１は、これにより取得した送信要求に応じて、メモリ２０２から電話機データを読み出し、これを、ＲＦ通信部２１０を介して、ＩＰ電話機１００に送信する。このとき、所定の変調が施された電波が、ＲＦ通信処理部２１０からＩＰ電話機１００に発せられる。
【００９９】
これを受けて、ＩＰ電話機１００のＲＦ通信部１１０は復調処理を行い、これをメイン処理部１０５に送る。メイン処理部１０５は、これにより受け取った電話機データを、メモリ１０５ａに格納する。なお、このようにして格納された電話機データの種別情報は、たとえば、上記実施例と同様に、データ入力部１０７を介して、ユーザから設定入力される。
【０１００】
かかる電話機データは、たとえば、メモリカード２００とＩＰ電話機１００の間の電波通信が遮断されたときに、ＩＰ電話機１００のメモリ１０５ａから消去される。具体的には、メモリカード２００側のＲＦ通信部２１０から発せられた電波を、ＩＰ電話機１００のＲＦ通信部１１０が一定時間以上検知できないときに、ＩＰ電話機１００のメイン処理部１０５は、当該電話機データをメモリ１０５ａから消去する。あるいは、データ入力部１０７を介してユーザから消去指令が入力されたときに、メモリ１０５ａから電話機データを消去するようにしても良い。
【０１０１】
なお、かかる消去の際には、上記実施例と同様、転送データの消去処理が行われる。すなわち、ＩＰ電話機１００のメイン処理部１０５は、転送元のＩＰ電話機１００と、その電話サーバ３００に対して、転送データの消去要求を送信する。これにより、着信転送が解除される。
【０１０２】
本実施例によれば、電波等の媒介を利用することにより、簡単に、電話機データをＩＰ電話機１００に登録することができる。
【０１０３】
以上、本発明に係る種々の実施例について説明したが、本発明は、これらの実施例に限定されるものではなく、他に種々の変更が可能であることは言うまでもない。
【０１０４】
たとえば、上記実施例では、サーバＡとサーバＢを分離して示したが、発呼元、発呼先および転送先の電話機が、同一の電話サーバを利用するものである場合には、仲介する電話サーバは一つとなる。この場合、電話サーバは、上記サーバＡとサーバＢにおいて個別に説明した機能を同時に具備するものである。なお、上記図１０、図１２、図１４、図１６には、便宜上、網を構成するサーバ群を、総括的に、“公衆網上のＩＰ電話サーバ”として図示している。
【０１０５】
また、上記実施例で引用した図２には、音声データを処理する機能を機能ブロックとして示したが、本発明に係る電話機は、音声データのみならず、映像データを含むテレビ電話モードの通話処理や、電子メール等のデータ通信にも、適宜、適用し得るものである。
【０１０６】
さらに、上記実施例は、固定型のＩＰ電話機に本発明を適用したものであったが、この他、携帯型のＩＰ電話機や、ＰＣ等、様々な情報家電機器に、適用できるものである。
【０１０７】
本発明の実施の形態は、特許請求の範囲に示された技術的思想の範囲内において、適宜、種々の変更が可能である。
【図面の簡単な説明】
【０１０８】
【図１】実施の形態に係るＩＰ電話システムの構成を示す図
【図２】実施例１に係るＩＰ電話機の構成を示す図
【図３】実施例１に係るメモリカードの構成を示す図
【図４】実施例１に係る電話サーバの構成を示す図
【図５】実施例１に係る電話機データ登録時のデータ構造を示す図
【図６】実施例１に係る転送データの構成を示す図
【図７】実施例１に係る転送データ登録時の処理フローを示す図
【図８】実施例１に係る転送データ登録時の処理フローを示す図
【図９】実施例１に係るメモリカード装着時の処理フローを示す図
【図１０】実施例１に係る着信転送設定時の処理の流れを説明する図
【図１１】実施例１に係る着信転送設定時の処理の流れを説明する図
【図１２】実施例２に係る着信転送設定時の処理の流れを説明する図
【図１３】実施例２に係る着信転送設定時の処理の流れを説明する図
【図１４】実施例３に係る着信転送設定時の処理の流れを説明する図
【図１５】実施例３に係る着信転送設定時の処理の流れを説明する図
【図１６】実施例４に係る着信転送設定時の処理の流れを説明する図
【図１７】実施例４に係る着信転送設定時の処理の流れを説明する図
【図１８】実施例５に係る着信転送設定時の処理の流れを説明する図
【符号の説明】
【０１０９】
１００  ＩＰ電話機
１０４  通信制御部
１０５  メイン処理部
１０５ａ  メモリ
１０７  データ入力部
１０６  カード制御部
１１０  ＲＦ処理部
２００  メモリカード
２０１  入出力制御部
２０２  メモリ
２１０  ＲＦ処理部
３００  電話サーバ
３０２  メイン処理部
３０２ａ  メモリ
３０３  通信制御部
【図１】
2005217643.tif 000003
【図２】
2005217643.tif 000004
【図３】
2005217643.tif 000005
【図４】
2005217643.tif 000006
【図５】
2005217643.tif 000007
【図６】
2005217643.tif 000008
【図７】
2005217643.tif 000009
【図８】
2005217643.tif 000010
【図９】
2005217643.tif 000011
【図１０】
2005217643.tif 000012
【図１１】
2005217643.tif 000013
【図１２】
2005217643.tif 000014
【図１３】
2005217643.tif 000015
【図１４】
2005217643.tif 000016
【図１５】
2005217643.tif 000017
【図１６】
2005217643.tif 000018
【図１７】
2005217643.tif 000019
【図１８】
2005217643.tif 000020